(57)【要約】      （修正有）【課題】机や椅子、ベットなどの家具の脚部の下に配置され、家具等が置かれる設置面に脚部の痕が形成されることを防止し、ユーザーの足が引っ掛かることを抑えることが可能な、高い強度を有する下敷きパッドを提供する。【解決手段】下敷きパッド１は、塩化ビニール樹脂等の柔軟性を有する樹脂で形成されたシート２を複数枚重ね、複数のシート２の外周面にフェルトなど、クッション性を有する材料で形成される外周テープ３を接着し、複数のシートの上面と下面にフェルトなど、クッション性を有する材料で形成される表面フィルム４，５を貼り付けて一体化するよう設けられている。【選択図】図１
2018051206.tif 000002
【特許請求の範囲】
【請求項１】
柔軟性を有する樹脂で形成され、重ねられている複数のシートと、
前記複数のシートを一体化する手段と、を有している
ことを特徴とする下敷きパッド。
【請求項２】
前記複数のシートを一体化する手段は、前記複数のシートの外周縁に貼り付けられるテープである
ことを特徴とする請求項１に記載される下敷きパッド。
【請求項３】
複数のシートの上面を覆い、前記複数のシートの材料とは異なる材料で形成されている第１フィルムと、
複数のシートの下面を覆い、前記複数のシートの材料とは異なる材料で形成されている第２フィルムとを有している
ことを特徴とする請求項１に記載される下敷きパッド。
【請求項４】
前記複数のシートは互いに接着されていない
ことを特徴とする請求項１に記載される下敷きパッド。
【発明の詳細な説明】
【技術分野】
【０００１】
本発明は、家具や家電製品の下に敷かれ、それらが配置される畳や床などの設置面を保護する下敷きパッドに関する。
【背景技術】
【０００２】
従来、家具の底面や、家具の脚部、家電製品の下に敷かれ、それらが配置される設置面（例えば、絨毯や畳）を保護する下敷きパッドが提案されている。特許文献１には、剛性を有する板状の基片と、基片の両面に接着された弾性片とを有する下敷きパッド（特許文献１において「敷板」）が開示されている。
【先行技術文献】
【特許文献】
【０００３】
【特許文献１】実用新案登録第３１１５４３５号
【発明の概要】
【発明が解決しようとする課題】
【０００４】
下敷きパッドは大きな荷重が作用し続けるため、高い強度を有していることが望まれる。本発明の目的の一つは、高い強度を有する下敷きパッドを提供することにある。
【課題を解決するための手段】
【０００５】
上記課題を解決するための下敷きパッドは、柔軟性を有する樹脂で形成され、重ねられている複数のシートと、前記複数のシートを一体化する手段と、を有している。
【図面の簡単な説明】
【０００６】
【図１】本発明の一実施形態に係る下敷きパットの斜視図である。
【図２】図１に示す下敷きパッドの断面図である。
【発明を実施するための形態】
【０００７】
以下、本発明の一実施形態に係る下敷きパッドについて説明する。図１は実施形態の一例である下敷きパッド１の斜視図である。図２は下敷きパッド１の断面図である。
【０００８】
下敷きパッド１は、その使用時に、例えば机や椅子、ベットなどの脚部Ｍ（図２参照）の下に敷かれる。下敷きパッド１は、箪笥や書棚などの家具の底面の下に敷かれてもよいし、家電製品の底面の下に敷かれてもよい。家具等が置かれる設置面（畳や、絨毯、フローリング）を保護する。例えば、下敷きパッド１は、家具の脚部の痕が畳に形成されること防ぐ。下敷きパッド１は、図１に示すように、例えば平面視において円形である。この形状によれば、下敷きパッド１の使用時に、ユーザの足などが下敷きパッド１に引っ掛かることを抑えることができる。下敷きパッド１の形状は例えば四角形でもよい。
【０００９】
図１に示すように、下敷きパット１は重ねられている複数のシート２を有している。下敷きパット１の例では、４枚のシート２が重ねられている。シート２の枚数は３枚でもよいし、５枚以上でもよい。各シート２は平らである。すなわち、各シート２の表面には凹部や凸部穴などは形成されていない。シート２は柔軟性を有する樹脂で形成される。例えば、シート２は塩化ビニール樹脂で形成される。シート２の材料は、好ましくは、可塑剤が添加されている軟質塩化ビニール樹脂である。複数のシート２は同じ材料で形成されている。これによって、下敷きパッド１のコストを低減できる。
【００１０】
上述したように下敷きパット１を複数のシート２で形成することによって、１枚の厚いシートを使用する下敷きパッドに比べて、その強度を増すことができる。例えば、下敷きパッド１の長期間の使用によって下敷きパッド１の全体が破断したり塑性変形することを抑えることができる。また、シート２が柔軟性を有する材料で形成されているので、家具から受ける荷重を分散させることができ、例えば家具の脚部の痕が畳に生じることを防ぐことができる。各シート２の厚さは約２ｍｍであり、下敷きパッド１の全体の厚さは約１０ｍｍである。シート２の厚さや、下敷きパッド１の厚さはこの例に限られない。例えば、シート２の厚さは約１ｍｍでもよいし、約３ｍｍでもよい。
【００１１】
各シート２の表面（上面及び下面）にはＵＶコーティングが施されてもよい。すなわち、各シート２の表面には紫外線硬化型塗料でコーティングされてもよい。これによれば、下敷きパッド１の長期間の使用において可塑剤がシート２の表面にしみ出すことを、防ぐことができる。その結果、後述する表面フィルム４、５が剥がれた場合でも、その可塑剤が設置面に転写することを、防ぐことができる。
【００１２】
シート２の材料は光透過性を有してもよい。言い換えれば、シート２は実質的に透明でもよい。これによれば、下敷きパッド１の長期間の使用において後述する表面フィルム４、５が剥がれた場合でも、シート２が目立つことを抑えることができる。シート２の色はここで説明する例に限られない。すなわち、シート２は着色されていてもよい。
【００１３】
複数のシート２は同じ形状を有している。下敷きパッド１の例では、複数のシート２は円形である。下敷きパッド１の例に変えて、複数のシート２は四角形でもよい。図１に示すように、下敷きパッド１は、複数のシート２の外周面に巻かれる外周テープ３を有している。外周テープ３は複数のシート２の外周面に接着されている。これによって、下敷きパッド１の外観を向上でき、また、複数のシート２を一体化できている。すなわち、複数のシート２のうちの一部が他から分離することが、外周テープ３によって抑えられている。外周テープ３はシート２の全周に亘って設けられるのが好ましい。
【００１４】
下敷きパッド１の例では、隣接する２枚のシート２は直接的には互いに固定されていない。すなわち、一方のシート２の上面と他方のシート２の下面との間には接着剤が設けられていない。このことによって、複数のシート２の全体の柔軟性が確保できる。
【００１５】
外周テープ３はシート２とは異なる材料で形成されている。外周テープ３は、例えばフェルトなど、クッション性を有する材料で形成される。この材料によれば、例えば、家具の設置場所で使用されている物が意図せず下敷きパッド１に衝突した場合にその物が傷つくことを、防ぐことができる。外周テープ３の材料はこれに限られない。外周テープ３の材料には、ゴムやエラストマーなどが使用されてもよい。外周テープ３には布が使用されてもよい。
【００１６】
下敷きパッド１は、複数のシート２の上面（すなわち、最も上に位置するシート２の上面）に貼り付けられる表面フィルム４と、複数のシート２の下面（すなわち、最も下に位置するシート２の下面）に貼り付けられる表面フィルム５とを有している。表面フィルム４、５はシート２とは異なる材料で形成されている。表面フィルム４、５は、例えばフェルトなど、クッション性を有する材料で形成される。このような材料によれば、設置面や家具等が傷つくことを抑えることができる。また、表面フィルム４、５の使用によって、下敷きパッド１の外観を向上できる。
【００１７】
本発明は以上説明した下敷きパッド１に限られず、種々の変更が可能である。
【００１８】
例えば、複数のシート２を一体化する手段は、外周テープ３に限られない。例えば、隣接する２枚のシート２は接着剤によって互いに固定されてもよい。この場合、下敷きパッド１は、外周テープ３を有していなくてもよい。
【００１９】
シート２の材料は軟質塩化ビニール樹脂に変えて、エラストマーやゴムでもよい。
【００２０】
表面フィルム４、５のうち一方又は双方は、滑り止機能を有してもよい。滑り止機能によって、例えば地震の際に家具等が移動することを抑えることができる。このようなフィルム４、５の材料としては、例えば滑り止性を有するアクリル発泡体を用いることができる。フィルム４、５の材料は滑り止性を有するゴムや樹脂（合成樹脂及び天然樹脂を含む）であれば、他の材料が利用されてもよい。
【符号の説明】
【００２１】
１  下敷きパッド、２  シート、３  外周テープ、４  表面フィルム、５  表面フィルム。
【図１】
2018051206.tif 000003
【図２】
2018051206.tif 000004